【事件の表示】
　特願２００９−１９９１１６「ブックマークサービス提供装置、およびブックマークサービス提供装置の動作方法」拒絶査定不服審判事件〔平成２３年　３月１０日出願公開、特開２０１１−　４８８０２、請求項の数（４）〕について、次のとおり審決する。
【結　論】
　原査定を取り消す。
　本願の発明は、特許すべきものとする。
【理　由】
第１　出願の経緯
　本願は、平成２１年８月３０日の出願であって、平成２４年２月１４日付けで拒絶理由通知がなされ、同年４月１６日付けで手続補正がなされ、同年１２月２８日付けで拒絶査定がなされ、平成２５年４月８日付けで、拒絶査定不服審判の請求がなされ、同時に手続補正がなされたものである。
　また、平成２５年８月２３日付けで、同年６月２７日付けで作成された前置報告書の内容に対する意見を求める審尋がなされ、同年１０月１５日付けで回答書が提出されている。
　
　
第２　平成２５年４月８日付けの手続補正（以下、「本件補正」という。）の適否
１．補正の内容
　本件補正は、平成２４年４月１６日付け手続補正書により補正された特許請求の範囲の請求項１を、
「ユーザ端末のアプリケーションからのブックマークの利用要求によりブックマーク機能を提供するとともに、
　前記ブックマーク機能のデータ処理を行うブックマークプラットフォームと、前記ブックマークプラットフォームによる前記ブックマーク機能を利用するための要求と、該要求に応じた前記ブックマーク機能の処理結果との入出力を行うフロントエンドと、を備えるブックマークサービス提供装置であって、
　前記フロントエンドは、
　　前記ユーザ端末に提供するブックマーク機能と同一の機能の利用要求に応じるための少なくとも一以上の前記ブックマークを分類するための項目である分類項目を自由に指定可能な所定フォーマットのブックマーク利用要求をネット上のＷｅｂサービスサーバ装置のアプリケーションから受け付ける利用要求受付部と、
　　前記受け付けた分類項目が指定された利用要求を前記ブックマークプラットフォームに引き渡す利用要求引渡部と、を有し、
　前記ブックマークプラットフォームは、
　　ブックマーク登録するＵＲＬを複数の分類項目により分類して蓄積するブックマーク蓄積部と、
　　前記各アプリケーションからのブックマークの利用要求と分類項目に応じて、前記ブックマーク蓄積部へのブックマーク登録するＵＲＬの書き込みを行うブックマーク書込部と、
　　同義語辞典を参照して所定フォーマットの分類値を解釈するためのルールを保持する解釈ルール保持部と、
　　前記各アプリケーションからのブックマークの利用要求で指定される分類項目を前記保持されている解釈ルールを利用して解釈し、その解釈結果に応じて前記ブックマーク蓄積部からブックマークの読み出しを行うブックマーク読出部と、を有する
ブックマークサービス提供装置。」
から
「　ユーザ端末のアプリケーションからのブックマークの利用要求によりブックマーク機能を提供するとともに、
　前記ブックマーク機能のデータ処理を行うブックマークプラットフォームと、前記ブックマークプラットフォームによる前記ブックマーク機能を利用するための要求と、該要求に応じた前記ブックマーク機能の処理結果との入出力を行うフロントエンドと、を備えるブックマークサービス提供装置であって、
　前記フロントエンドは、
　　前記ユーザ端末に提供するブックマーク機能と同一の機能の利用要求に応じるための少なくとも
そのブックマークを登録したユーザのユーザＩＤと
　　前記受け付けた分類項目が指定された利用要求を前記ブックマークプラットフォームに引き渡す利用要求引渡部と、を有し、
　前記ブックマークプラットフォームは、
　　ブックマーク登録するＵＲＬを複数の分類項目により分類して蓄積するブックマーク蓄積部と、
　　前記各アプリケーションからのブックマークの利用要求と分類項目に応じて、前記ブックマーク蓄積部へのブックマーク登録するＵＲＬの書き込みを行うブックマーク書込部と、
　　同義語辞典を参照して所定フォーマットの分類値を解釈するためのルールを保持する解釈ルール保持部と、
　　前記各アプリケーションからのブックマークの利用要求で指定される
登録したユーザＩＤを含む
ブックマークサービス提供装置。」
（下線は、補正箇所を表している。）に補正するとともに、請求項３についても同様に補正をするものである。
　
２．補正の適否
（１）特許法第１７条の２第３項の要件（新規事項追加の有無）について
　本願の願書に最初に添付された明細書の段落【００２３】、【００３２】等の記載を参酌すると、本件補正は、願書に最初に添付した明細書、特許請求の範囲または図面に記載した事項の範囲内においてするものといえるから、本件補正に特許法第１７条の２第３項に違反するところはない。
　
（２）特許法第１７条の２第４項の要件（シフト補正の有無）について　
　本件補正には、特許法第１７条の２第４項に違反するところもない。
　
（３）特許法第１７条の２第５項の要件（目的の適否）について
　本件補正は、特許法第１７条の２第５項第２号の特許請求の範囲の減縮を目的とするものに該当する。
　
（４）特許法第１７条の２第６項の要件（独立特許要件）について　
　上記のとおり本件補正は、特許法第１７条の２第５項第２号の特許請求の範囲の減縮を目的とするものに該当するから、本件補正後の発明が特許法第１７条の２第６項において準用する同法第１２６条第７項の規定に適合するか（特許出願の際独立して特許を受けることができるものであるか）について以下に検討する。
　
ア．本件補正後の請求項１に係る発明について
　
（ア）本件補正後の請求項１に係る発明
　本件補正後の請求項１に係る発明（以下、「本願補正発明１」という。）は、平成２５年４月８日付けの手続補正書の【補正の内容】の欄に【請求項１】として記載されたとおりのものであり、上記１．に補正後のものとして転記したとおりのものである。
　
（イ）引用例
　原査定の拒絶の理由で引用され、前置報告書でも引用されている特開２００８−２８７４５８号公報（平成２０年１１月１７日出願公開。以下、「引用例」という。）には、次の記載がある。
　
「【請求項５】
  ソーシャルブックマークのサービスを提供しているサービスサーバであって、ブックマークを記憶するデータベースに、ユーザによって指定されたウェブページのブックマークをユーザブックマークとして登録するユーザ登録手段と、定められたトリガーが成立するごとに、前記ユーザ登録手段で登録された前記ユーザブックマークのアドレス先のリンク先アドレスを抽出し、出現頻度が規定以上である前記リンク先アドレスを前記リンクブックマークとして前記データベースに登録する自動登録手段と、前記ユーザに提示する前記ユーザブックマークを抽出すると共に、抽出した前記ユーザブックマークのアドレス先のリンク先アドレスが前記リンクブックマークとして登録されているときは、この前記リンクブックマークも抽出し、抽出した前記ユーザブックマークおよび前記リンクブックマークを前記ユーザに提示するブックマーク提示手段を備えていることを特徴とするサービスサーバ。」
　
「【背景技術】
【０００２】
  インターネット上のリソースのアドレス、例えば、リソースのＵＲＩ（Uniform Resource Identifier）を登録するブックマークは、クライアントにインストールされたブラウザごとに管理されることが一般的であったが、近年、インターネット上に設けられたサービスサーバにユーザがブックマークを登録し、サービスサーバを利用するユーザ間でブックマークを共有化するソーシャルブックマークサービスが普及している。
【０００３】
  ソーシャルブックマークサービスに係わる発明としては、例えば、特許文献１では、ユーザが登録したブックマークの利用分類などが記述されたブックマーク登録データを管理サーバの管理データベースに記憶しておき、ユーザが登録したブックマークのブックマーク登録データの利用分類と同じ利用分類に属し、他のユーザが登録したブックマークを管理データベースから抽出し、抽出したブックマークを推薦ブックマークとしてユーザに提示するシステムが開示されている。
【０００４】
【特許文献１】特開２００７−７２５９６号公報
【発明の開示】
【発明が解決しようとする課題】
【０００５】
  しかしながら、従来のソーシャルブックマークサービスにおいて、ユーザに提示されるブックマークは、ソーシャルブックマークサービスのユーザによって登録されたブックマークのみであって、ソーシャルブックマークサービスのユーザが登録していないブックマークをユーザに提示することはできなかった。
【０００６】
  そこで、本発明は、インターネット上のサービスの一つであるソーシャルブックマークサービスにおいて、ソーシャルブックマークサービスのユーザが登録していないブックマークをもユーザに提示することができる方法及びサービスサーバを提供することを目的とする。」
　
「【００２２】
  図１で図示したシステムには、本発明に係わるサービスサーバ１に加え、多くのウェブページで記事を公開している複数のウェブサーバ３と、サービスサーバ１以外のソーシャルブックマークサービスを提供しているソーシャルブックマークサーバ４と、サービスサーバ１のユーザが利用するクライアント２とがインターネット５を介して接続されている。
【００２３】
　本発明に係わるサービスサーバ１は、ソーシャルブックマークサービスを提供している一つのウェブサーバで、他のソーシャルブックマークサーバ４と同様に、サービスサーバ１を利用するユーザは、頻繁に利用するウェブページのブックマークをタグ付けして登録したり、他のユーザが登録しているブックマークを検索したりすることができる。
【００２４】
　加えて、本発明に係わるサービスサーバ１は、ユーザに幅広くブックマークを提供するために、ユーザが登録したブックマークであるユーザブックマークのアドレス先でリンクされている数の多いウェブページのブックマークをリンクブックマークとして自動的に登録する機能を備えている。
【００２５】
　更に、サービスサーバ１は、より幅広くブックマークをユーザに提供するために、サービスサーバ１以外のソーシャルブックマークサーバ４で提供されているブックマークを自動的に登録する機能をも備えている。」
　
「【００２７】
  図２に図示したように、サービスサーバ１は、クライアントと情報の入出力を行い、クライアントごとにセッションを管理するユーザインターフェース手段１０と、ブックマークが登録されるブックマークＤＢ１４（DB: Data Base）と、ユーザがユーザブックマークをブックマークＤＢ１４に登録するときに作動するユーザ登録手段１１と、サービスサーバ１が自動的にリンクブックマークをブックマークＤＢ１４に登録するときに作動する自動登録手段１２と、クライアントに表示するブックマークを検索するブックマーク検索手段１３とを、少なくともを備えている。
【００２８】
  図３は、ブックマークＤＢ１４に記憶されるユーザブックマークの内容を説明する図である。ユーザブックマークには、ユーザブックマークの属性情報と、ユーザブックマークのロケーションと、ユーザブックマークのリンク先アドレスと、ユーザブックマークのタグと、ユーザブックマークのユーザ登録状況を示すユーザ登録情報が含まれる。
【００２９】
  ユーザブックマークの属性情報には、ユーザブックマークであることを示す値が記述され、ユーザブックマークのロケーションには、ユーザブックマークとして登録するウェブページのＵＲＩ（Uniform Resource Identifier)が記述される。
【００３０】
  また、ユーザブックマークのロケーション先でリンクしているウェブページのＵＲＩがリンク先アドレスとして、ユーザブックマークに記述される。更に、ユーザブックマークのロケーションで公開されているウェブページのテキスト情報を自然言語解析することで抽出された重要度の高い少なくとも一つの単語がタグして記述される。なお、タグを抽出するときに利用するテキスト情報は、ウェブページの本文でもよく、ウェブページのメタ情報（例えば、ＲＳＳ）であってもよい。
【００３１】
  更に、ユーザブックマークのユーザ登録情報には、ユーザブックマークを登録しているユーザの人数を示すユーザ登録数と、ユーザブックマークを登録しているユーザのユーザＩＤが記述される。」
　
「【００５３】
  ここから、サービスサーバ１がブックマークをユーザに提供するために、サービスサーバ１がクライアントに表示するウェブページについて説明する。
【００５４】
  本発明に係わるブックマーク提示手段としての機能は、サービスサーバ１のユーザインターフェース手段１０に備えられ、上述しているように、ユーザインターフェース手段１０は、クライアントと情報の入出力を行い、クライアントごとにセッションを管理する機能と、クライアントに表示させるウェブページを作成する機能を備え、ユーザインターフェース手段１０は、クライアントに表示するウェブページとして、すべてのユーザで共通である共通ウェブページと、ユーザごとに個別であるユーザウェブページを生成する。
【００５５】
  図７は、すべてのユーザで共通の共通ウェブページの一例を示した図である。図７で図示したように、共通ウェブページ７には、ブックマークの検索キーワードの入力フォーム７０、ブックマークを検索するときに利用される複数のカテゴリー７１、ユーザＩＤの入力フォーム７６ａ、及び、ユーザのパスワードの入力フォーム７６ｂと、ユーザ認証するときにクリックするログインの文字７６ｃとが表示され、更に、共通ウェブページ７には、ユーザブックマークの検索結果を表示するブックマークフレーム７２と、すべてのユーザに推薦するブックマークを表示する推薦フレーム７３と、タグを表示するタグフレーム７４が設けられている。
【００５６】
  入力フォーム７０に検索キーワードが入力されると、入力された検索キーワードはブックマーク検索手段１３に引渡され、ブックマーク検索手段１３は、入力された検索キーワードによってタグ付けされたユーザブックマークをブックマークＤＢ１４の中から検索する。
【００５７】
  ブックマーク検索手段１３の検索結果はユーザインターフェース手段１０に引渡され、ユーザインターフェース手段１０は、ユーザブックマークのユーザ登録情報に含まれるユーザ登録数の多い順に、検索されたユーザブックマークをブックマークフレーム７２内に表示する。
【００５８】
  また、共通ウェブページ７に表示されているカテゴリーの一つがクリックされると、クリックされたカテゴリーはユーザインターフェース手段１０からブックマーク検索手段１３に引渡され、ブックマーク検索手段１３は、クリックされたカテゴリーによってタグ付けされたユーザブックマークをブックマークＤＢ１４の中から検索する。
【００５９】
  ブックマーク検索手段１３の検索結果はユーザインターフェース手段１０に引渡され、ユーザインターフェース手段１０は、ユーザブックマークのユーザ登録情報に含まれるユーザ登録数の多い順に、検索されたブックマークをブックマークフレーム７２内に表示する。」
　
　そして、上記記載事項を引用例の関連図面と技術常識に照らせば次のことがいえる。
ａ．引用例の段落【００２２】、【００２３】の記載等から明らかなように、引用例の「サービスサーバ」は、「ユーザが利用するクライアント」とインターネットを介して接続され、ソーシャルブックマークサービスを提供する装置である。そして、その「ソーシャルブックマークサービス」は、「ユーザ端末のアプリケーションからのブックマークの利用要求によりブックマーク機能を提供するもの」と解される。したがって、引用例の「サービスサーバ」は、「ユーザ端末のアプリケーションからのブックマークの利用要求によりブックマーク機能を提供する」ものであって、「ブックマークサービス提供装置」とも呼び得るものである。
　また、該「サービスサーバ」は、当然に、「ブックマーク機能のデータ処理を行う」機能と「ブックマーク機能を利用するための要求と、該要求に応じた前記ブックマーク機能の処理結果との入出力を行う」機能とを有し、その後者の機能をつかさどる部分は、「フロントエンド」とも呼び得る。
　
ｂ．引用例でいう「タグ」や「カテゴリ」は、「ブックマークを分類するための項目」の一種であり、「分類項目」とも呼び得る。また、上記ａ．で言及した「ブックマーク機能を利用するための要求」は引用例の図７に示される共通ウェブページからの入力に基づくものを含んでおり、それは当然に何らかの所定フォーマットを有すると考えられる。したがって、上記ａ．で言及した「フロントエンド」とも呼び得る部分は、「一以上のブックマークを分類するための項目である分類項目を自由に指定可能な所定フォーマットのブックマーク利用要求をユーザ端末から受け付ける利用要求受付部」といい得る部分を有している。
　
ｃ．上記ａ．で言及した「フロントエンド」とも呼び得る部分は、上記ｂ．で言及した「ブックマーク利用要求」を上記ａ．で言及した「ブックマーク機能のデータ処理を行う」機能をつかさどる部分へ引き渡す「利用要求引渡部」といい得る部分も当然に有している。
　
ｄ．引用例の「ブックマークＤＢ１４」は、上記ａ．で言及した「ブックマーク機能のデータ処理を行う」機能をつかさどる部分に属しており、該「ブックマークＤＢ１４」は、「ブックマーク登録するＵＲＩを複数の分類項目により分類して蓄積する」ものの一種である。
　
ｅ．上記ａ．で言及した「ブックマーク機能のデータ処理を行う」機能をつかさどる部分は、「各アプリケーションからのブックマークの利用要求と分類項目に応じて、ブックマークＤＢ１４へのブックマーク登録するＵＲＩの書き込みを行うブックマーク書込部」といい得る部分も当然に有している。
　
ｆ．上記ａ．で言及した「ブックマーク機能のデータ処理を行う」機能をつかさどる部分は、「ブックマークＤＢ１４からブックマークの読み出しを行うブックマーク読出部」といい得る部分も当然に有している。
　
　以上を総合すると、引用例には、次の発明（以下、「引用例記載発明」という。）が記載されているといえる。
「ユーザ端末のアプリケーションからのブックマークの利用要求によりブックマーク機能を提供するとともに、
　前記ブックマーク機能のデータ処理を行う機能をつかさどる部分と、前記ブックマーク機能のデータ処理を行う機能をつかさどる部分による前記ブックマーク機能を利用するための要求と、該要求に応じた前記ブックマーク機能の処理結果との入出力を行うフロントエンドと、を備えるブックマークサービス提供装置であって、
　前記フロントエンドは、
　　一以上の前記ブックマークを分類するための項目である分類項目を自由に指定可能な所定フォーマットのブックマーク利用要求をユーザ端末のアプリケーションから受け付ける利用要求受付部と、
　　前記受け付けた分類項目が指定された利用要求を前記ブックマーク機能のデータ処理を行う機能をつかさどる部分に引き渡す利用要求引渡部と、を有し、
　前記ブックマーク機能のデータ処理を行う機能をつかさどる部分は、
　　ブックマーク登録するＵＲＩを複数の分類項目により分類して蓄積するブックマークＤＢ１４と、
　　前記各アプリケーションからのブックマークの利用要求と分類項目に応じて、前記ブックマークＤＢ１４へのブックマーク登録するＵＲＩの書き込みを行うブックマーク書込部と、
　　前記ブックマークＤＢ１４からブックマークの読み出しを行うブックマーク読出部と、を有する
ブックマークサービス提供装置。」
　
（ウ）対比
　本願補正発明１と引用例記載発明を対比すると、次のことがいえる。
ａ．引用例記載発明の「ブックマーク機能のデータ処理を行う機能をつかさどる部分」と本願補正発明１の「ブックマークプラットフォーム」とは、「ブックマークサービス提供装置のブックマーク機能のデータ処理を行う機能をつかさどる部分」である点で共通する。
ｂ．引用例記載発明の「利用要求受付部」と本願補正発明１の「利用要求受付部」とは、「一以上のブックマークを分類するための項目である分類項目を自由に指定可能な所定フォーマットのブックマーク利用要求を他の装置のアプリケーションから受け付ける」機能をつかさどる部分である点で共通する。
ｃ．引用例記載発明の「利用要求引渡部」と本願補正発明１の「利用要求引渡部」とは、「受け付けた分類項目が指定された利用要求をブックマーク機能のデータ処理を行う機能をつかさどる部分に引き渡す」機能をつかさどる部分である点で共通する。
ｄ．引用例記載発明の「ブックマークＤＢ１４」と本願補正発明１の「ブックマーク蓄積部」とは、「ブックマーク登録するＵＲＩを複数の分類項目により分類して蓄積する」機能をつかさどる部分である点で共通し、両者は共に「ブックマーク蓄積部」とも呼び得る。
ｅ．引用例記載発明の「ブックマーク書込部」と本願補正発明１の「ブックマーク書込部」とは、「各アプリケーションからのブックマークの利用要求と分類項目に応じて、ブックマーク蓄積部へのブックマーク登録するＵＲＩの書き込みを行う」機能を有する部分である点で共通する。
ｆ．引用例記載発明の「ブックマーク読出部」と本願補正発明１の「ブックマーク読出部」とは、「ブックマーク蓄積部からブックマークの読み出しを行う」機能を有する部分である点で共通する。
　
　したがって、本願補正発明１と引用例記載発明との間には、以下の一致点、相違点があるといえる。
（一致点）
「　ユーザ端末のアプリケーションからのブックマークの利用要求によりブックマーク機能を提供するとともに、
　前記ブックマーク機能のデータ処理を行う機能をつかさどる部分と、前記ブックマーク機能のデータ処理を行う機能をつかさどる部分による前記ブックマーク機能を利用するための要求と、該要求に応じた前記ブックマーク機能の処理結果との入出力を行うフロントエンドと、を備えるブックマークサービス提供装置であって、
　前記フロントエンドは、
　　一以上の前記ブックマークを分類するための項目である分類項目を自由に指定可能な所定フォーマットのブックマーク利用要求を他の装置のアプリケーションから受け付ける利用要求受付部と、
　　前記受け付けた分類項目が指定された利用要求を前記ブックマーク機能のデータ処理を行う機能をつかさどる部分に引き渡す利用要求引渡部と、を有し、
　前記ブックマーク機能のデータ処理を行う機能をつかさどる部分は、
　　ブックマーク登録するＵＲＩを複数の分類項目により分類して蓄積するブックマーク蓄積部と、
　　前記各アプリケーションからのブックマークの利用要求と分類項目に応じて、前記ブックマーク蓄積部へのブックマーク登録するＵＲＩの書き込みを行うブックマーク書込部と、
　　前記ブックマーク蓄積部からブックマークの読み出しを行うブックマーク読出部と、を有する
ブックマークサービス提供装置。」
　
（相違点１）
　本願補正発明１の「ブックマーク機能のデータ処理を行う機能をつかさどる部分」は、「ブックマークプラットフォーム」と呼び得るものであるのに対し、引用例記載発明の「ブックマーク機能のデータ処理を行う機能をつかさどる部分」は、「ブックマークプラットフォーム」と呼び得るものであるとは限らない点。
　
（相違点２）
　本願補正発明１の「利用要求受付部」は、「ユーザ端末に提供するブックマーク機能と同一の機能の利用要求に応じるための少なくともそのブックマークを登録したユーザのユーザＩＤと、一以上のブックマークを分類するための項目である分類項目を自由に指定可能な所定フォーマットのブックマーク利用要求をネット上のＷｅｂサービスサーバ装置のアプリケーションから受け付ける」ものであるのに対し、引用例記載発明の「利用要求受付部」は、そのようなものではない点。
　
（相違点３）
　本願補正発明１の「ブックマーク蓄積部」は、「ブックマーク登録するＵＲＬ」を蓄積するものであり、本願補正発明１の「ブックマーク書込部」は、「ブックマーク登録するＵＲＬ」の書き込みを行うものであるのに対し、引用例記載発明の「ブックマーク蓄積部」、「ブックマーク書込部」は、それぞれ「ブックマーク登録するＵＲＩ」を蓄積、「ブックマーク登録するＵＲＩ」の書き込みを行うものであるものの、「ブックマーク登録するＵＲＬ」を蓄積、「ブックマーク登録するＵＲＬ」の書き込みを行うものであるとは限らない点。
　
（相違点４）
　本願補正発明１は、「同義語辞典を参照して所定フォーマットの分類値を解釈するためのルールを保持する解釈ルール保持部」を有しており、本願補正発明１の「ブックマーク読出部」は、「各アプリケーションからのブックマークの利用要求で指定される登録したユーザＩＤを含む分類項目を保持されている解釈ルールを利用して解釈し、その解釈結果に応じてブックマーク蓄積部からブックマークの読み出しを行う」ものであるのに対し、引用例記載発明は、「同義語辞典を参照して所定フォーマットの分類値を解釈するためのルールを保持する解釈ルール保持部」を有するものではなく、引用例記載発明の「ブックマーク読出部」は、「各アプリケーションからのブックマークの利用要求で指定される登録したユーザＩＤを含む分類項目を保持されている解釈ルールを利用して解釈し、その解釈結果に応じてブックマーク蓄積部からブックマークの読み出しを行う」ものではない点。
　
（エ）判断
ａ．上記相違点２、４について
　引用例記載発明において上記相違点２、４に係る本願補正発明１の構成を採用することは、引用例記載発明の「利用要求受付部」を「ブックマークを登録したユーザのユーザＩＤと、一以上のブックマークを分類するための項目である分類項目を自由に指定可能な所定フォーマットのブックマーク利用要求をネット上のＷｅｂサービスサーバ装置のアプリケーションから受け付ける」ものとし、引用例記載発明の「ブックマーク読出部」を「各アプリケーションからのブックマークの利用要求で指定される登録したユーザＩＤを含む分類項目の解釈結果に応じてブックマーク蓄積部からブックマークの読み出しを行う」ものとすることを含んでおり、そのようにすることは、引用例記載発明の「ブックマークサービス提供装置」を、「ネット上のＷｅｂサービスサーバ装置からの『ブックマークを登録したユーザのユーザＩＤ』を含むブックマーク利用要求に応え、Ｗｅｂサービス向けに必要なブックマークを選択抽出し提供することが可能な装置」に改変することにほかならないが、前置報告書で周知文献４として提示された特開２００８−１９１９８２号公報を含め、審査段階で提示されたいずれの先行文献にも、そのような改変が当業者にとって容易であったことを示す記載はない。
　また、他に、そのような改変が当業者にとって容易であったと判断すべき理由を発見しない。
　したがって、引用例記載発明において上記相違点２、４に係る本願補正発明１の構成を採用することは、当業者が容易になし得たこととはいえない。
　
ｂ．まとめ
　以上のとおり、引用例記載発明において上記相違点２、４に係る本願補正発明１の構成を採用することは、当業者が容易になし得たこととはいえないから、その他の点について検討するまでもなく、本願補正発明１は、引用例記載発明に基づいて当業者が容易に発明をすることができたものとはいえない。
　ほかに本願補正発明１について、特許出願の際独立して特許を受けることができないものと判断すべき理由を発見しない。
　よって、本願補正発明１は、特許出願の際独立して特許を受けることができるものである。
　
イ．本件補正後の請求項２〜４に係る発明について
　本件補正後の請求項２〜４に係る発明は、いずれも、本願補正発明１の技術的特徴の全てを実質的に含んでいるから、本願補正発明１と同様に、引用例記載発明に基づいて当業者が容易に発明をすることができたものとはいえない。
　ほかに本件補正後の請求項２〜４に係る発明について、特許出願の際独立して特許を受けることができないものと判断すべき理由を発見しない。
　よって、本件補正後の請求項２〜４に係る発明も、特許出願の際独立して特許を受けることができるものである。
　
（５）まとめ
　以上のとおりであるから、本件補正は、特許法第１７条の２第３〜６項の規定に適合する。
　
　
第３．本願発明
　本件補正は、上記のとおり、特許法第１７条の２第３〜６項の規定に適合するから、本願の請求項１〜４に係る発明は、本件補正により補正された特許請求の範囲の請求項１〜４に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。